(57)【要約】      （修正有）【課題】調光操作卓及び遠隔パネルの電源スイッチの操作の情報に基づいて操作権の設定を行うことにより、利便性を向上させる。【解決手段】調光制御システムは、照明を制御する第１の調光操作部１１と、前記第１の調光操作部の機能を実行可能な１つ以上の第２の調光操作部２１Ａ，２１Ｂと、前記第１及び第２の調光操作部に夫々設けられ、独立して操作可能な操作可否決定用スイッチ１５，２５Ａ，２５Ｂと、前記第２の調光操作部に設けられ、前記操作可否決定用スイッチの状態を前記第１の調光操作部に伝達する伝達部２２Ａ，２２Ｂと、前記第１の調光操作部に設けられ、前記第１及び第２の調光操作部の操作可否決定用スイッチの状態に基づいて、前記第１及び第２の調光操作部のうちのいずれか１つに操作権を設定する制御部１３と、を具備する。【選択図】図１
2012252792.tif 000002
【特許請求の範囲】
【請求項１】
照明を制御する第１の調光操作部と；
前記第１の調光操作部の機能を実行可能な１つ以上の第２の調光操作部と；
前記第１及び第２の調光操作部に夫々設けられ、独立して操作可能な操作可否決定用スイッチと；
前記第２の調光操作部に設けられ、前記操作可否決定用スイッチの状態を前記第１の調光操作部に伝達する伝達部と；
前記第１の調光操作部に設けられ、前記第１及び第２の調光操作部の操作可否決定用スイッチの状態に基づいて、前記第１及び第２の調光操作部のうちのいずれか１つに操作権を設定する制御部と；
を具備したことを特徴とする調光制御システム。
【請求項２】
前記操作可否決定用スイッチは、電源スイッチであり；
前記第１及び第２の調光制御部のいずれか１つの前記電源スイッチがオンになることによって、前記第１及び第２の調光制御部の全てに電力が供給されるように構成された電力供給手段；
を具備したことを特徴とする請求項１に記載の調光制御システム。
【請求項３】
前記制御部は、前記第１の調光操作部に設けられた操作可否決定用スイッチが操作可の状態である場合には、前記第２の調光操作部の操作可否決定用スイッチの状態に拘わらず、前記第１の調光操作部に操作権を設定する
ことを特徴とする請求項１又は２に記載の調光制御システム。
【発明の詳細な説明】
【技術分野】
【０００１】
本発明の実施形態は、舞台照明等に好適な照明制御システムに関する。
【背景技術】
【０００２】
従来、舞台等に使用される調光システムにおいては、舞台等の照明を調光操作卓により一括制御する方法が一般的である。例えば、調光操作卓によって、舞台照明として演出された照明状態が得られるように調光器を制御するための調光制御情報を生成する。調光操作卓は、この調光制御情報を、例えば、ＤＭＸ５１２（１９９０）（米国劇場技術協会（ＵＳＩＴＴ）規格）の規格に沿った形式のＤＭＸ信号として調光盤に伝送する。
【０００３】
調光制御情報は、舞台が実際に開演される前に作成されて記憶されることもある。実際に舞台が開演されると、調光操作卓の操作によって、調光制御情報がＤＭＸ信号として伝送されて、舞台照明の調光制御が行われる。
【０００４】
ところで、調光操作卓は、例えば客席の後方に設けられた調光室に設置される。更に、舞台の袖の壁等には、調光操作卓の一部の機能を有する遠隔パネルが設けられることもある。これにより、舞台照明の調光制御を、客席後方の調光室に設置される調光操作卓で操作することなく、舞台袖の遠隔パネルから遠隔操作することも可能である。
【０００５】
調光操作卓と遠隔パネルとの操作が競合する場合や、ＤＭＸ信号が調光操作卓から出力されることを考慮して、遠隔パネルの使用は、調光操作卓によって制御されるようになっている。調光操作卓には操作権を設定するスイッチ（操作場所切換スイッチ）が設けられており、このスイッチで遠隔パネルに操作権を移行した場合にのみ遠隔パネルでの操作が可能となっている。つまり、調光操作卓の電源がオンになっている期間であって、調光操作卓の操作場所切換スイッチを操作しなければ遠隔パネルを使用することができない。このため、例えば、事前に調光制御情報が作成されており、調光制御の開始の指示のみを与えればよい場合等においても、必ず調光操作卓での操作が必要となり、不便である。
【０００６】
また、舞台には掃除等のための作業用の照明が必要な場合がある。小中規模のホール等では、作業用の照明と舞台照明とを兼用していることがあり、作業用の照明を点灯させる場合でも、調光操作卓での操作を行った後でなければ、舞台袖等の遠隔パネルによる点灯操作を行うことはできない。
【先行技術文献】
【特許文献】
【０００７】
【特許文献１】特開２００１−２４４０８６号公報
【発明の概要】
【発明が解決しようとする課題】
【０００８】
本発明の実施形態は、調光操作卓及び遠隔パネルの操作可否決定用スイッチの操作の情報に基づいて操作権の設定を行うことにより、利便性を向上させることができる調光制御システムを提供することを目的とする。
【課題を解決するための手段】
【０００９】
実施形態に係る調光制御システムは、照明を制御する第１の調光操作部と；前記第１の調光操作部の機能を実行可能な１つ以上の第２の調光操作部と；前記第１及び第２の調光操作部に夫々設けられ、独立して操作可能な操作可否決定用スイッチと；前記第２の調光操作部に設けられ、前記操作可否決定用スイッチの状態を前記第１の調光操作部に伝達する伝達部と；前記第１の調光操作部に設けられ、前記第１及び第２の調光操作部の操作可否決定用スイッチの状態に基づいて、前記第１及び第２の調光操作部のうちのいずれか１つに操作権を設定する制御部と；を具備する。
【発明の効果】
【００１０】
本発明の実施形態によれば、調光操作卓及び遠隔パネルの操作可否決定用スイッチの操作の情報に基づいて操作権の設定を行うことにより、利便性を向上させることができるという効果を有する。
【図面の簡単な説明】
【００１１】
【図１】本発明の一実施の形態に係る調光制御システム１０を示すブロック図。
【図２】調光操作卓１１及び遠隔パネル２１Ａ，２１Ｂへの電力供給の仕方を説明するための説明図。
【図３】操作権の設定方法を説明するためのフローチャート。
【発明を実施するための最良の形態】
【００１２】
実施形態に係る調光制御システムは、照明を制御する第１の調光操作部と；前記第１の調光操作部の機能を実行可能な１つ以上の第２の調光操作部と；前記第１及び第２の調光操作部に夫々設けられ、独立して操作可能な操作可否決定用スイッチと；前記第２の調光操作部に設けられ、前記操作可否決定用スイッチの状態を前記第１の調光操作部に伝達する伝達部と；前記第１の調光操作部に設けられ、前記第１及び第２の調光操作部の操作可否決定用スイッチの状態に基づいて、前記第１及び第２の調光操作部のうちのいずれか１つに操作権を設定する制御部と；を具備したことを特徴とする。
【００１３】
また、前記操作可否決定用スイッチは、電源スイッチであり；前記第１及び第２の調光制御部のいずれか１つの前記電源スイッチがオンになることによって、前記第１及び第２の調光制御部の全てに電力が供給されるように構成された電力供給手段；を具備したことを特徴とする。
【００１４】
また、前記制御部は、前記第１の調光操作部に設けられた操作可否決定用スイッチが操作可の状態である場合には、前記第２の調光操作部の操作可否決定用スイッチの状態に拘わらず、前記第１の調光操作部に操作権を設定することを特徴とする。
【００１５】
また、前記制御部は、前記１つ以上の第２の調光操作部に設けられた操作可否決定用スイッチが操作可の状態の場合に、前記第１の調光操作部に設けられた操作可否決定用スイッチが操作否の状態になったときには、前記１つ以上の第２の調光操作部のうち優先順位が最も高い第２の調光操作部に操作権を設定することを特徴とする。
【００１６】
また、前記制御部は、前記第１の調光操作部に設けられた操作可否決定用スイッチが操作否の状態の場合に、前記１つ以上の第２の調光操作部に設けられた操作可否決定用スイッチが操作可の状態になった場合には、操作可否決定用スイッチが最後に操作可となった第２の調光操作部に操作権を設定することを特徴とする。
【００１７】
以下、図面を参照して本発明の実施の形態について詳細に説明する。図１は本発明の一実施の形態に係る調光制御システム１０を示すブロック図である。
【００１８】
図１において、調光制御システム１０は、舞台照明等の照明装置の調光制御を行うものである。調光操作卓１１及び遠隔パネル２１Ａ，２１Ｂ（以下、代表して遠隔パネル２１ということもある）は相互に異なる設置場所に設置されている。例えば、調光操作卓１１は、舞台正面に配置された客席の後方の調光室（図示省略）に設置される。また、遠隔パネル２１Ａ，２１Ｂは、例えば、舞台上手側及び下手側の舞台袖の壁等に設置される。なお、図１では２つの遠隔パネルを採用する例を示したが、調光制御システム１０は、１つの調光操作卓１１と１つ以上の遠隔パネル２１によって構成されていればよい。
【００１９】
本実施の形態においては、調光操作卓１１及び遠隔パネル２１Ａ，２１Ｂには、それぞれ自器を動作状態に設定するための操作可否決定用スイッチとしても機能する電源スイッチ１５，２５Ａ，２５Ｂが設けられている。また、調光操作卓１１及び遠隔パネル２１Ａ，２１Ｂには、それぞれ自器の動作を制御するための制御部１３，２３Ａ，２３Ｂが設けられている。なお、調光操作卓１１の制御部１３は、自器だけでなく、調光制御システム１０全体の制御を行うようになっている。
【００２０】
また、調光操作卓１１及び遠隔パネル２１Ａ，２１Ｂには、それぞれ伝送部１２，２２Ａ，２２Ｂが設けられており、各伝送部１２，２２Ａ，２２Ｂは、相互間において、信号線３４を介して情報の授受が可能である。各制御部１３，２３Ａ，２３Ｂは、各伝送部１２，２２Ａ，２２Ｂにそれぞれ接続されており、伝送部１２，２２Ａ，２２Ｂを介した通信によって、相互間で情報の授受を行うことができるようになっている。
【００２１】
また、調光操作卓１１には、ユーザ操作を受け付けるための操作部１６，１７が設けられており、遠隔パネル２１Ａ，２１Ｂには、ユーザ操作を受け付けるための操作部２６Ａ，２６Ｂがそれぞれ設けられている。
【００２２】
操作部１７は、詳細な調光制御情報を生成するためのものであり、例えば、各種機能を設定する機能設定部、各種情報を記憶する記憶設定部、各シーンの設定を行うシーン設定部、調光設定値を決定するフェーダー等を有する。また、調光操作卓１１の操作部１６及び遠隔パネル２１Ａ，２１Ｂの操作部２６Ａ，２６Ｂは、調光制御情報を出力するための場面切換部、シーン再生部、調光設定値を決定するフェーダー等を有する。各制御部１３，２３Ａ，２３Ｂは、それぞれ操作部１６，１７、操作部２６Ａ又は操作部２６Ｂに対するユーザ操作に基づいて各部を制御する。
【００２３】
調光操作卓１１は、上述したようにシステム全体を制御する制御部１３を有している。制御部１３は、操作部１６，１７の操作に基づいて調光制御情報を生成する。制御部１３は生成した調光制御情報を図示しないメモリに記憶させておくことができる。制御部１３は、メモリに格納された調光制御情報又は操作部１６，１７の操作に基づく調光制御情報を調光出力部１４に出力する。調光出力部１４は、制御部１３から調光制御情報が与えられると、調光制御情報に基づく調光制御信号（ＤＭＸ信号）を図示しない伝送線に出力する。この伝送線は、舞台照明等の調光盤（図示せず）に接続されており、調光盤はＤＭＸ信号に基づいて舞台照明等の点灯及び調光を制御する。
【００２４】
調光操作卓１１のみがＤＭＸ信号を調光盤に出力することができる。遠隔パネル２１Ａ，２１Ｂは、調光操作卓１１にＤＭＸ信号の出力を要求することができる。即ち、遠隔パネル２１Ａ，２１Ｂの各制御部２３Ａ，２３Ｂは、各操作部２６Ａ，２６Ｂの操作に基づく操作情報が与えられる。遠隔パネル２１Ａ，２１Ｂの制御部２３Ａ，２３Ｂは、操作情報を伝送部２２Ａ，２２Ｂ，１２を介して制御部１３に伝送する。制御部１３は、遠隔パネル２１Ａ，２１Ｂの各制御部２３Ａ，２３Ｂから各操作部２６Ａ，２６Ｂの操作に基づく操作情報が与えられて、調光制御情報を調光出力部１４に出力することができる。
【００２５】
このように、遠隔パネル２１Ａ，２１Ｂは、調光操作卓１１に操作信号を供給することで、調光操作卓１１の図示しないメモリに格納された調光制御情報又は制御部１３が発生する調光制御情報を、調光操作卓１１から出力させることができる。
【００２６】
また、調光操作卓１１には、操作場所切換スイッチ１８が設けられている。操作場所切換スイッチ１８は、ユーザ操作に基づいて、遠隔パネル２１Ａ，２１Ｂに操作権を設定するための操作権設定情報を発生する。制御部１３は、操作場所切換スイッチ１８からの操作権設定情報を制御部２３Ａ，２３Ｂに出力することができるようになっている。遠隔パネル２１Ａ，２１Ｂの制御部２３Ａ，２３Ｂは、受信した操作権設定情報に基づいて、それぞれ自器の操作権を設定するようになっている。
【００２７】
更に、本実施の形態においては、調光操作卓１１の制御部１３は、調光操作卓１１及び遠隔パネル２１Ａ，２１Ｂに設けられた電源スイッチ１５，２５Ａ，２５Ｂの操作に従って操作権の設定を行うようになっている。これらの調光操作卓１１及び遠隔パネル２１Ａ，２１Ｂには、電源装置３０から電源配線３１を介して電力が供給されるようになっている。
【００２８】
図２は電源装置３０と電源配線３１（３１ｐ，３１ｎ）を介した調光操作卓１１及び遠隔パネル２１Ａ，２１Ｂへの電力供給の仕方を説明するための説明図である。
【００２９】
電源３０からの電力は１対の電源配線３１ｐ，３１ｎによって伝送される。配線３１ｐ，３１ｎはリレースイッチ３２を介して調光操作卓１１及び遠隔パネル２１Ａ，２１Ｂの電源端１１ａ，２１Ａａ，２１Ｂａに接続されている。リレースイッチ３２がオンの場合には、電源３０から電源配線３１ｐ，３１ｎ及びリレースイッチ３２を介して調光操作卓１１及び遠隔パネル２１Ａ，２１Ｂの全てに電力が供給されるようになっている。
【００３０】
配線３１ｐはリレースイッチ３２の一方端に接続され、配線３１ｎは並列接続された電源スイッチ１５，２５Ａ，２５Ｂを介してリレースイッチの３２他方端に接続される。電源スイッチ１５，２５Ａ，２５Ｂは、上述したように、それぞれ調光操作卓１１、遠隔パネル２１Ａ，２１Ｂに設けられている。電源スイッチ１５，２５Ａ，２５Ｂのいずれか１つがオンとなることによって、リレースイッチ３２はオンとなり、電源スイッチ１５，２５Ａ，２５Ｂの全てがオフになることによってリレースイッチ３２はオフになる。
【００３１】
即ち、調光操作卓１１の電源スイッチ１５、遠隔パネル２１Ａの電源スイッチ２５Ａ又は遠隔パネル２１Ｂの電源スイッチ２５Ｂのいずれか１つの電源スイッチがオンであれば、調光操作卓１１、遠隔パネル２１Ａ，２１Ｂの全てに電源３０から電力が供給されることになる。なお、調光操作卓１１及び遠隔パネル２１Ａ，２１Ｂの全ての電源スイッチ１５，２５Ａ，２５Ｂがオフになると、調光操作卓１１、遠隔パネル２１Ａ，２１Ｂの全てに対する電源３０からの電力供給が停止する。
【００３２】
なお、本実施の形態においては、調光操作卓１１及び複数の遠隔パネル２１Ａ，２１Ｂのうちのいずれか１つの電源スイッチ１５，２５Ａ，２５Ｂがオンとなっていれば、これらの全てに電力を供給する例について説明するが、電源スイッチ１５，２５Ａ，２５Ｂの状態に拘わらず常時電力を供給するようにしてもよい。
【００３３】
このように本実施の形態においては、調光操作卓１１及び遠隔パネル２１Ａ，２１Ｂの電源スイッチ１５，２５Ａ，２５Ｂのいずれか１つがオンの場合には、調光操作卓１１及び遠隔パネル２１Ａ，２１Ｂは、いずれも動作可能な状態である。
【００３４】
調光操作卓１１及び遠隔パネル２１Ａ，２１Ｂの各制御部１３，２３Ａ，２３Ｂは、電源スイッチ１５，２５Ａ，２５Ｂのいずれか１つがオンの場合には、電源３０からの電力供給を受けて動作状態にある。各制御部１３，２３Ａ，２３Ｂは、自器の電源スイッチ１５，２５Ａ，２５Ｂの状態を監視しており、遠隔パネル２１Ａ，２１Ｂの制御部２３Ａ，２３Ｂは、電源スイッチ２５Ａ，２５Ｂの状態を示すスイッチ状態情報を調光操作卓１１の制御部１３に出力するようになっている。これにより、調光操作卓１１の制御部１３において、調光操作卓１１及び遠隔パネル２１Ａ，２１Ｂの電源スイッチ１５，２５Ａ，２５Ｂのオン，オフ状態を検出可能である。
【００３５】
次に、図３のフローチャートを参照して操作権の設定方法について説明する。なお、図３において丸で囲った数字は処理の連結を示しており、次の処理が対応する数字の処理に移行することを示している。
【００３６】
本実施の形態においては、調光操作卓１１の制御部１３の制御によって操作権が設定される。制御部１３は、操作場所切換スイッチ１８の状態、電源スイッチ１５，２５Ａ，２５Ｂのオン，オフの状態及びその切り替わりタイミング等に基づいて操作権を設定する。従って、調光操作卓１１及び遠隔パネル２１Ａ，２１Ｂは、電源スイッチ１５，２５Ａ，２５Ｂがオンであっても、操作権を有していないこともある。操作権は制御部１３の設定によって調光操作卓１１及び遠隔パネル２１Ａ，２１Ｂのいずれか１つに設定される。
【００３７】
いま、全ての電源スイッチ１５，２５Ａ，２５Ｂがオフであるものとする（ステップＳ１）。この場合には、全ての制御部１３，２３Ａ，２３Ｂは動作を停止している。ここで、調光操作卓１１及び遠隔パネル２１Ａ，２１Ｂの電源スイッチ１５，２５Ａ，２５Ｂのうちのいずれかの電源スイッチがオンになるものとする（ステップＳ２）。そうすると、電源３０から調光操作卓１１、遠隔パネル２１Ａ，２１Ｂに電力が供給されて、各制御部１３，２３Ａ，２３Ｂが動作を開始する。
【００３８】
なお、上述したように、調光操作卓１１の制御部１３の制御によって、操作権は調光操作卓１１及び遠隔パネル２１Ａ，２１Ｂのいずれか１つに設定される。図３では、ステップＳ５，Ｓ６，Ｓ７において、それぞれ調光操作卓１１、遠隔パネル２１Ａ又は遠隔パネル２１Ｂに操作権が存在している状態であることを示している。
【００３９】
調光操作卓１１の制御部１３は、ステップＳ３において、自器の電源スイッチ１５がオンになっているか否かを判定する。自器の電源スイッチ１５がオンになっている場合には、ステップＳ５に示すように、初期状態では調光操作卓１１が操作権を有しており、他の遠隔パネル２１Ａ，２１Ｂによる操作は不可である。制御部１３は、ステップＳ３において自器の電源スイッチ１５がオンになっていないものと判定した場合には、次のステップＳ４において、遠隔パネル２１Ａの電源スイッチ２５Ａがオンになっているか否かを判定する。遠隔パネル２１Ａの電源がオンになっている場合には、遠隔パネル２１Ａが操作権を有する（ステップＳ６）。遠隔パネル２１Ａの電源がオンでない場合には、遠隔パネル２１Ａは操作権を有していないので、必然的に操作権は遠隔パネル２１Ｂが有することになる。こうして、図３の太枠のステップＳ５〜Ｓ７に示すように、電源スイッチ１５，２５Ａ，２５Ｂの少なくとも１つがオンの場合には、調光操作卓１１、遠隔パネル２１Ａ，２１Ｂのいずれか１つに操作権が存在する。
【００４０】
いま、調光操作卓１１に操作権が存在するものとする。調光操作卓１１は、操作権を操作場所切換スイッチ１８によって移行させることができる。操作権の移行操作が行われた場合（ステップＳ８）には、操作権は、操作場所切換スイッチ１８によって指定された遠隔パネル２１Ａ，２１Ｂに移行する。
【００４１】
調光操作卓１１の電源スイッチ１５がオンの場合には、上述したように、操作場所切換スイッチ１８によって操作権が移行しない限り、調光操作卓１１が操作権を有する。調光操作卓１１の電源スイッチ１５がオンの状態で、調光操作卓１１の電源スイッチ１５がオフになった場合には（ステップＳ９）、制御部１３はステップＳ１０〜Ｓ１３によって操作権の場所を判断する。
【００４２】
即ち、ステップＳ１０において、制御部１３は、操作場所切換スイッチ１８により又は後述する他の制御により操作権が遠隔パネル２１Ａに存在するか否かを判定する。存在する場合には、制御部１３は処理をステップＳ６に移行する。操作権が遠隔パネル２１Ａに存在しない場合には、制御部１３は、ステップＳ１１において、操作場所切換スイッチ１８により又は後述する他の制御により操作権が遠隔パネル２１Ｂに存在するか否かを判定する。存在する場合には、制御部１３は処理をステップＳ７に移行する。
【００４３】
調光操作卓１１の電源スイッチ１５のオフの時点で操作権が調光操作卓１１にあった場合には、処理はステップＳ１１からステップＳ１２に移行して、制御部１３により、遠隔パネル２１Ａの電源スイッチ２５Ａがオンであるか否かが判定される。遠隔パネル２１Ａと遠隔パネル２１Ｂには初期状態において操作権の優先順位が付されており、ステップＳ１２において遠隔パネル２１Ａの電源スイッチ２５Ａがオンであるものと判定した場合には、制御部１３はステップＳ６において遠隔パネル２１Ａに操作権を移行する。なお、優先順位は、遠隔パネル２１Ａ，２１Ｂの優先順位スイッチ２４Ａ，２４Ｂによって設定可能である。例えば、優先順位スイッチ２４Ａ，２４Ｂのうち最後に操作された優先順位スイッチを有する遠隔パネルが最も優先順位が高いものとする。
【００４４】
電源スイッチ２５Ａがオフである場合には、制御部１３は、ステップＳ１３において、遠隔パネル２１Ｂの電源スイッチ２５Ｂがオンであるか否かを判定する。遠隔パネル２１Ｂの電源スイッチ２５Ｂがオンの場合には、制御部１３はステップＳ７において操作権を遠隔パネル２１Ｂに移行する。電源スイッチ２５Ｂがオフの場合には、調光操作卓１１及び遠隔パネル２１Ａ，２１Ｂの電源スイッチ１５，２５Ａ，２５Ｂはいずれもオフであり、ステップＳ１に処理を移行する。なお、この場合には、遠隔パネル２１Ａ，２１Ｂの電源スイッチ２５Ａ，２５Ｂはいずれもオフであるので、ステップＳ９の調光操作卓１１の電源スイッチ１５のオフによって電力の供給が遮断され、ステップＳ１０〜Ｓ１３は行われない可能性もある。
【００４５】
次に、ステップＳ６において、操作権が遠隔パネル２１Ａに存在するものとする。この状態で、遠隔パネル２１Ｂの電源スイッチ２５Ｂがオンになるものとする（ステップＳ１４）。そうすると、調光操作卓１１の制御部１３は、ステップＳ７において遠隔パネル２１Ｂに操作権を移行する。また、操作権が遠隔パネル２１Ａに存在する状態で（ステップＳ６）、調光操作卓１１の電源スイッチ１５がオンになった場合には、調光操作卓１１の制御部１３は自器に操作権を移行する（ステップＳ５）。
【００４６】
また、操作権が遠隔パネル２１Ａに存在する状態で（ステップＳ６）、遠隔パネル２１Ａの電源スイッチ２５Ａがオフになるものとする。この場合には、制御部１３は、ステップＳ１７において、遠隔パネル２１Ｂの電源スイッチ２５Ｂの状態を調べる。制御部１３は、遠隔パネル２１Ｂの電源スイッチ２５Ｂがオンの場合には、ステップＳ７において遠隔パネル２１Ｂに操作権を移行し、電源スイッチ２５Ｂがオフの場合には、全ての電源スイッチ１５，２５Ａ，２５Ｂがオフであるので、処理をステップＳ１に移行する。
【００４７】
次に、操作権が遠隔パネル２１Ｂに存在するものとする（ステップＳ７）。この状態で、調光操作卓１１の電源スイッチ１５がオンになるものとする（ステップＳ２１）。そうすると、調光操作卓１１の制御部１３は、ステップＳ５において自器に操作権を移行する。また、電源スイッチ２５Ｂがオンの状態で遠隔パネル２１Ａの電源スイッチ２５Ａがオンになるものとする。そうすると、調光操作卓１１の制御部１３は、ステップＳ６において遠隔パネル２１Ａに操作権を移行する。
【００４８】
また、操作権が遠隔パネル２１Ｂに存在する状態で（ステップＳ７）、遠隔パネル２１Ｂの電源スイッチ２５Ｂがオフになるものとする。この場合には、制御部１３は、ステップＳ２４において、遠隔パネル２１Ａの電源スイッチ２５Ａの状態を調べる。制御部１３は、遠隔パネル２１Ａの電源スイッチ２５Ａがオンの場合には、ステップＳ６において遠隔パネル２１Ａに操作権を移行し、電源スイッチ２５Ａがオフの場合には、全ての電源スイッチ１５，２５Ａ，２５Ｂがオフであるので、処理をステップＳ１に移行する。
【００４９】
以上のように、本実施の形態においては、調光操作卓１１の電源スイッチ１５がオンの場合には、初期状態では調光操作卓１１が操作権を有する。また、この場合には、遠隔パネル２１Ａ，２１Ｂの電源スイッチ２５Ａ，２５Ｂの状態に拘わらず、遠隔パネル２１Ａ，２１Ｂにも電力が供給されており、調光操作卓１１の操作場所切換スイッチ１８の操作によって、希望する遠隔パネルに操作権を移行することができる。
【００５０】
また、調光操作卓１１の電源スイッチ１５がオフの場合においては、遠隔パネル２１Ａ，２１Ｂの電源スイッチ２５Ａ，２５Ｂの操作によって操作権が決定する。即ち、遠隔パネル２１，２１Ｂのいずれか一方の電源スイッチ２５Ａ，２５Ｂがオンの場合には、オンである電源スイッチを有する遠隔パネルが操作権を有する。また、遠隔パネル２１，２１Ｂの両方の電源スイッチ２５Ａ，２５Ｂがオンの場合には、後からオンとなった電源スイッチを有する遠隔パネルが操作権を有し、調光操作卓１１の電源スイッチ１５がオフになった直後のように、操作権を有する前に両方の電源スイッチ２５Ａ，２５Ｂがオンとなっている場合には、高い優先順位が付された遠隔パネルが操作権を有する。
【００５１】
次に、このように構成された実施の形態の動作について説明する。
【００５２】
調光操作卓１１及び遠隔パネル２１Ａ，２１Ｂの電源スイッチ１５，２５Ａ，２５Ｂの操作によって、簡単に操作権の設定が可能である。例えば、舞台開演日の前日までに調光操作卓１１で調光制御情報を作成しておくことがある。この場合には、舞台開演当日においては、調光室に行って調光操作卓１１を操作することなく、舞台袖の遠隔パネル２５Ａ，２５Ｂの操作によって、調光制御情報に基づくＤＭＸ信号を調光操作卓１１の調光出力部１４から出力させることができる。
【００５３】
例えば、操作者が遠隔パネル２１Ｂの電源スイッチ２５Ｂのみをオンにするものとする。これにより、リレースイッチ３２がオンとなり、電源３０は調光操作卓１１、遠隔パネル２５Ａ，２５Ｂの全てに電力を供給する。遠隔パネル２１Ｂの制御部２３Ｂは、電源スイッチ２５Ｂがオンであることを伝送部２２Ｂ，１２を介して調光操作卓１１の制御部１３に伝える。また、遠隔パネル２５Ａの制御部２３Ａは、電源スイッチ２５Ａがオフであることを伝送部２２Ａ，１２を介して制御部１３に伝える。調光操作卓１１の制御部１３は、自器の電源スイッチ１５がオフであり、遠隔パネル２１Ａの電源スイッチ２５Ａもオフであることから、図３のステップＳ１〜Ｓ４を介してステップＳ７に移行して、遠隔パネル２１Ｂに操作権を設定する。
【００５４】
この状態で、操作者が、遠隔パネル２１Ｂの操作部２６Ｂを操作することによって、この操作情報が調光操作卓１１の制御部１３に供給され、制御部１３は調光制御情報に基づくＤＭＸ信号を調光出力部１４から出力させる。
【００５５】
こうして、操作者が、遠隔パネル２１Ｂの電源スイッチ２５Ｂをオンにすることによって、調光操作卓１１の電源スイッチ１５をオンにすることなく、遠隔パネル２１Ｂの操作部２６Ｂによる調光操作が可能となる。
【００５６】
同様に、操作者が遠隔パネル２１Ａの電源スイッチ２５Ａのみをオンにした場合でも、同様の動作によって、遠隔パネル２１Ａの操作部２６Ａによる調光操作が可能となる。また、例えば、作業者が、作業用の照明を点灯させたい場合等においても、遠隔パネル２１Ａ，２１Ｂの電源スイッチ２５Ａ，２５Ｂの少なくとも一方をオンにすることによって、遠隔パネル２１Ａ又は２１Ｂによる操作が可能となる。
【００５７】
また、本実施の形態においては、調光操作卓１１及び遠隔パネル２１Ａ，２１Ｂのうちの２つ以上の電源スイッチがオンになっている場合でも、いずれか１つのみに操作権が設定される。即ち、例えば、調光操作卓１１の電源スイッチ１５がオンの場合には、初期状態では調光操作卓１１が操作権を有する。また、調光操作卓１１の操作場所切換スイッチ１８を操作することによって、いずれか１つの遠隔パネルにのみ操作権が移行する。
【００５８】
遠隔パネル２１Ａ，２１Ｂの一方に操作権がある場合において、他方の遠隔パネルの電源スイッチがオンになると、ステップＳ１４又はステップＳ２２において、他方の電源スイッチを有する遠隔パネルに操作権が移行する。また、遠隔パネル２１Ａ，２１Ｂの電源スイッチ２５Ａ，２５Ｂの両方がオンである場合に、調光操作卓１１の電源スイッチ１５がオフになった場合には、ステップＳ１０〜Ｓ１３において遠隔パネル２１Ａ，２１Ｂの一方に操作権が設定される。即ち、電源スイッチ１５のオフ時点で既に操作権が一方の遠隔パネルに移行されている場合にはその遠隔パネルが操作権を有し、オフ時点で操作権が決定していない場合には、遠隔パネル２１Ａ，２１Ｂのうち優先順位が高い遠隔パネルに操作権が移行する。
【００５９】
また、遠隔パネル２１Ａ，２１Ｂの電源スイッチ２５Ａ，２５Ｂの一方又は両方のみがオンになっている場合において、調光操作卓１１の電源スイッチ１５がオンになると、ステップＳ１６又はステップＳ２１において、制御部１３は操作権を自器に与える。従って、以後、調光操作卓１１の操作部１６のみによって調光操作が可能となる。
【００６０】
このように本実施の形態においては、調光操作卓及び遠隔パネルの電源スイッチの操作の情報に基づいて操作権の設定を行っており、操作権の競合を発生させることなく、遠隔パネルに操作権を移行させることができ、利便性を向上させることができる。
【００６１】
なお、調光操作卓１１及び遠隔パネル２１Ａ，２１Ｂの各制御部１３，２３Ａ，２３Ｂは、自器が操作権を有する場合には、その旨を示す表示機能を有していてもよい。例えば、操作権を有する場合には、動作状態を示すＬＥＤ等を点灯させてもよい。
【００６２】
また、調光操作卓１１及び遠隔パネル２１Ａ，２１Ｂの各制御部１３，２３Ａ，２３Ｂは、自器の電源スイッチ１５，２５Ａ，２５Ｂがオフの場合には、操作権が設定されるまでは動作状態を示すＬＥＤ等を消灯するようにしてもよい。
【００６３】
また、上記実施の形態においては、電源スイッチの状態によって操作権を決定する例について説明したが、調光操作卓及び遠隔パネルに常時電力を供給可能であれば、電源スイッチに限らず各機器の操作可否を決定するための適宜のスイッチの状態を検出して、操作権を決定するようにしてもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１０…調光制御システム、１１…調光操作卓、１３，２３Ａ，２３Ｂ…制御部、１４…調光出力部、１５，２５Ａ，２５Ｂ…電源スイッチ、１６，２６Ａ，２６Ｂ…操作部、１８…操作場所切換スイッチ、２１Ａ，２１Ｂ…遠隔パネル、２４Ａ，２４Ｂ…優先順位スイッチ。
【図１】
2012252792.tif 000003
【図２】
2012252792.tif 000004
【図３】
2012252792.tif 000005